(57)【要約】本発明はヘアードライヤーにおける遠赤外線と陰イオンを発生させる技術に関する。このような本発明は、ヘアードライヤー内の電熱線を色んな鉱物質（例えば、白雲母、トルマリン、ラジウム等）が混合されてシート状で成形された板状パッドで取り囲むことで、電熱線の加熱時にその板状のパッドが遠赤外線及び陰イオンを直接的に発生させると同時に、その遠赤外線及び陰イオンがヘアードライヤーの使用期間に無関係で持続されることで、パーマや染色等で損傷された毛髪や頭皮を健康に維持させ、さらに毛髪のセッティング状態を長時間維持させることで、毛髪に艶を出すようにするヘアードライヤーの遠赤外線と陰イオン発生用パッド構造及びその製造方法を提供する。【選択図】　図３
2004033728.tif 000002
【特許請求の範囲】
【請求項１】
外部空気を吸い込み及び吐出する吸い込み口と吐出口を持つ本体、濾過網を持ちながら前記本体の後方に結合される吸気カバー、吐出グリルを持ちながら本体の前方に結合されるノズル、前記本体及び吸気カバーの下部に結合される把持部、前記本体内のフランジに内蔵されて吸い込み口及び吐出口を通じて空気の流れを誘発させるように駆動する駆動モータ、前記駆動モータの回転軸に押し込まれて吸い込み口から吐出口に空気を送風させる送風ファン、前記駆動モータに電源を印加する電源コード、前記電源コードに連結して印加された常用電源をオン／オフする電源スイッチ、及び前記吐出口と駆動モータとの間に設置された支持プレートに螺旋形で巻き付けられて吸い込み口から吸い込んだ空気を加熱する電熱線を含むヘアードライヤーにおいて、
前記ヘアードライヤーへ常用電源が通電されて、電熱線の加熱時にその加熱によって遠赤外線と陰イオンを発生させるように前記支持プレートに巻き付けられた電熱線を、色んな鉱物質が混合されて弾性を持つ板状パッドで取り囲むように構成することを特徴とする、ヘアードライヤーの遠赤外線と陰イオン発生用パッド構造。
【請求項２】
前記支持プレートは、色んな鉱物質が混合された板状パッドからなることを特徴とする、請求項１に記載のヘアードライヤーの遠赤外線と陰イオン発生用パッド構造。
【請求項３】
前記板状パッドをなす鉱物質は、微細な粒子で粉砕した８５〜９５％の白雲母に１０％未満のトルマリンと０．１％未満のラジウムを混合し、その混合物質に接合剤を添加して構成することを特徴とする、請求項１または２に記載のヘアードライヤーの遠赤外線と陰イオン発生用パッド構造。
【請求項４】
鉱物質として、高弾性の電気絶縁体である白雲母と、超電気特性の陰イオン及び遠赤外線を発生するトルマリンとを、微細な粒子で粉砕する段階；
前記微細な粒子で粉砕した８５〜９５％の白雲母に、１０％未満のトルマリンと、外部刺激なしも電荷を放出してイオン化作用する０．１％未満のラジウムとを混合後、その混合物質に接合剤を添加する段階；及び、
前記添加した接合剤にて堅く接合された混合物質を４００℃の表面温度の圧着ローラで圧着してシート状の板状パッドを成形する段階を含むことを特徴とする、ヘアードライヤーの遠赤外線と陰イオン発生用パッド製造方法。
【発明の詳細な説明】
【０００１】
【発明の属する技術分野】
本発明はヘアードライヤーにおける遠赤外線及び陰イオンを発生させる技術に関し、特に、ヘアードライヤー内の電熱線を色んな鉱物質（例えば、白雲母、トルマリン、ラジウム等）が混合されてシート状で成形された板状パッドで取り囲み、電熱線の加熱時にその板状パッドが遠赤外線及び陰イオンを直接的に発生させると同時に、その遠赤外線及び陰イオンがヘアードライヤーの使用期間に無関係で持続されることで、パーマや染色等で損傷された毛髪や頭皮を健康に維持させ、さらに毛髪のセッティング状態を長時間維持させることで、毛髪に艶を出すようにするヘアードライヤーの遠赤外線と陰イオン発生用パッド構造及びその製造方法に関する。
【０００２】
【従来の技術】
公知のように、ヘアードライヤー（ｈａｉｒ　ｄｒｙｅｒ）は、電源供給部の常用電源を機器に印加して外部から吸い込んだ空気を加熱後、その加熱空気を機器の前方に送風させて毛髪の水分を短時間内に蒸発させたりまたは所望の髪型でセッティングするためのもので、このようなヘアードライヤー１００は図１及び図２に示すように、外部空気を吸い込み及び吐出する吸い込み口１ａと吐出口１ｂを持つ本体１、濾過網２ａを持ちながら本体１の後方に結合される吸気カバー２、吐出グリル３ａを持ちながら本体１の前方に結合されるノズル３、及び前記本体１及び吸気カバー２の下部に結合される把持部４からなる。
【０００３】
一方、前記本体１内には吸い込み口１ａ及び吐出口１ｂを通じて空気の流れを誘発させるようにフランジ６に内蔵されて駆動する駆動モータ７、及び前記駆動モータ７の回転軸７ａに押し込まれて吸い込み口１ａから吐出口１ｂに空気を送風させる送風ファン８を備えると同時に、前記駆動モータ７に電源を印加する電源コード９、及び前記電源コード９に連結して印加された常用電源をオン／オフする電源スイッチ１０を備える。
【０００４】
また、前記吐出口１ｂと駆動モータ７との間には吸い込み口１ａを通じて吸い込んだ空気を加熱するための電熱線１１が放射状の支持プレート１２により設置され、前記支持プレート１２により設置された電熱線１１は遮熱パッド１３で取り囲まれている。
【０００５】
すなわち、前記遮熱パッド１３は電熱線１１の加熱時にその熱がヘアードライヤー１００の本体１に伝えられないようにするためである。
【０００６】
このように構成された従来のヘアードライヤー１００は、把持部４の前面に取り付けられた電源スイッチ１０を押圧すれば、電源供給部（図示せず）より常用電源（ＡＣ　２２０Ｖ）が電源コード９を通じて駆動モータ７と電熱線１１に通電される。
【０００７】
すると、前記駆動モータ７は通電の電源によって設定された回転速度で回転し、前記電熱線１１は設定された温度で発熱することで、使用者は毛髪の水分を短時間内に蒸発させたり所望の髪型でセッティングできる。
【０００８】
しかし、前記のようなヘアードライヤー１００を頻繁に利用すれば、髪端がギザギザの状態になる等、毛髪の健康状態が悪化する場合が多かった。
【０００９】
これに、従来は、前記電熱線１１が接触される支持プレート１２と遮熱パッド１３の表面に、あるいは前記電熱線１１が接触される支持プレート１２と遮熱パッド１３の何れか一つの表面に、遠赤外線または陰イオンを発生させる鉱物質（例えば、トルマリン）を接着剤等で塗布することで、前記電熱線１１の加熱時に前記遮熱パッド１３と支持プレート１２の表面に塗布された鉱物質が遠赤外線または陰イオンを発生させて毛髪の損傷を防止した。
【００１０】
従来の鉱物質はヘアードライヤーの熱風に接触される部品に金属用ウレタンペイント、シリコン、硬化剤などが一定比率で混合された陰イオン発生用粉末を塗布し（例えば、特許文献１参照）、また、従来の鉱物質は酸化アルミナ（Ａｌ２Ｏ３）、酸化チタン（ＴｉＯ２）、酸化第二鉄（Ｆｅ２Ｏ３）、クロム酸化物（Ｃｒ２Ｏ３）、二酸化ケイ素（ＳｉＯ２）、酸化イットリウム（Ｙ２Ｏ３）及び酸化マグネシウム（ＭｇＯ）を含む遠赤外線放射物質粉末と、多元素ミネラル粉末とを含む混合粉末のセラミック層を塗布するようにした（例えば、特許文献２、３参照）。
【特許文献１】
大韓民国登録実用新案第１０６３３号
【特許文献２】
米国特許第６，２０５，６７４号
【特許文献３】
日本登録実用新案公報第３０１３０３８号
【００１１】
【発明が解決しようとする課題】
しかしながら、前記のように、遮熱パッド１３または支持プレート１２の表面に鉱物質を接着剤等で塗布する場合、前記電熱線１１の加熱温度のためその接着性が顕著に劣化して、前記鉱物質が遮熱パッド１３または支持プレート１２の表面から分離されるという問題点を有し、これにより、前記ヘアードライヤー１００における遠赤外線または陰イオンの発生が顕著に低下する等、ヘアードライヤー１００の使用期間が長い程遠赤外線または陰イオンの発生が益々低下するという短所を持つ。
【００１２】
【課題を解決するための手段】
したがって、本発明は前記問題点を解決するために案出されたもので、その目的は、ヘアードライヤー内の電熱線を色んな鉱物質（例えば、白雲母、トルマリン、ラジウム等）が混合されてシート状で成形された板状パッドで取り囲み、電熱線の加熱時にその板状パッドが遠赤外線及び陰イオンを直接的に発生させると同時に、その遠赤外線及び陰イオンがヘアードライヤーの使用期間に無関係で持続されることで、パーマや染色等で損傷された毛髪や頭皮を健康に維持させ、さらに毛髪のセッティング状態を長時間維持させることで、毛髪に艶を出すようにするヘアードライヤーの遠赤外線と陰イオン発生用パッド構造及びその製造方法を提供することにある。
【００１３】
【発明の実施の形態】
以下、添付図面に基づき、本発明の望ましい実施例を説明する。
なお、以下に参照される図面において、説明の便宜上、従来と同じ部分に対しては同じ参照番号を付与して説明する。
【００１４】
図３は本発明の一実施例の板状のパッド構造図で、図４は本発明の一実施例の図３のＡ−Ａ線断面図で、図５は本発明の一実施例のヘアードライヤーの電熱線に遠赤外線及び陰イオンを発生する板状パッドを設置した状態の断面図である。
【００１５】
図３乃至図５に示したように、外部空気を吸い込み及び吐出する吸い込み口１ａと吐出口１ｂを持つ本体１、濾過網２ａを持ちながら前記本体１の後方に結合される吸気カバー２、吐出グリル３ａを持ちながら本体１の前方に結合されるノズル３、前記本体１及び吸気カバー２の下部に結合される把持部４、前記本体１内のフランジ６に内蔵されて吸い込み口１ａ及び吐出口１ｂを通じて空気の流れを誘発させるように駆動する駆動モータ７、前記駆動モータ７の回転軸７ａに押し込まれて吸い込み口１ａから吐出口１ｂに空気を送風させる送風ファン８、前記駆動モータ７に電源を印加する電源コード９、前記電源コード９に連結して印加された常用電源をオン／オフする電源スイッチ１０、及び前記吐出口１ｂと駆動モータ７との間に設置された支持プレート１２に螺旋形で巻き付けられて吸い込み口１ａを通じて吸い込んだ空気を加熱する電熱線１１を含むヘアードライヤー１００において、前記ヘアードライヤー１００へ常用電源が通電されて、電熱線１１の加熱時にその加熱によって遠赤外線と陰イオンを発生させるように前記支持プレート１２に巻き付けられた電熱線１１を、色んな鉱物質が混合されて弾性を持つ板状パッド２０で取り囲むように構成することを特徴とする。
【００１６】
ここで、前記板状パッド２０をなす鉱物質は、微細な粒子で粉砕した８５〜９５％の白雲母２１に１０％未満のトルマリン２２と０．１％未満のラジウム２３を混合し、その混合物質に接合剤を添加して構成した。
【００１７】
合せて、前記支持プレート１２を白雲母２１、トルマリン２２及びラジウムが混合された板状パッド２０で構成される。
【００１８】
すなわち、前記板状パッド２０は電熱線１１を取り囲む円筒形で作ることができるが、前記電熱線１１が巻き付けられるように支持プレート１２の形態で作ることもできる。
【００１９】
一方、前記のように構成される板状パッドの製造は、鉱物質として、高弾性の電気絶縁体である白雲母２１と、超電気特性の陰イオンと遠赤外線を発生するトルマリン２２とを、微細な粒子で粉砕する段階；前記微細な粒子で粉砕した８５〜９５％の白雲母２１に、１０％未満のトルマリン２２と、外部刺激なしも電荷を放出してイオン化作用する０．１％未満のラジウム２３とを混合後、その混合物質に接合剤を添加する段階；及び、前記添加した接合剤にて堅く接合された混合物質を４００℃の表面温度の圧着ローラで圧着してシート状の板状パッド２０を成形する段階を含む。
【００２０】
このように構成された本発明の一実施例に対する作用を、添付の図３乃至図５を参照して説明する。
まず、鉱物質として、高弾性の電気絶縁体である白雲母２１と、超電気特性の陰イオンと遠赤外線を発生するトルマリン２２とを、微細な粒子で粉砕する。
【００２１】
以後、前記微細な粒子で粉砕した白雲母２１、トルマリン２２及び外部刺激なしも電荷を放出してイオン化作用するラジウム２３を適正比率で混合する。
【００２２】
すなわち、板状パッド２０をなす白雲母２１、トルマリン２２及びラジウム２３の混合比率が１００％とすれば、微細な粒子で粉砕した白雲母２１は８５〜９５％、微細な粒子で粉砕したトルマリン２２は１０％未満である一方、前記白雲母２１とトルマリン２２の混合物には０．１％未満のラジウム２３を混合した後、上記の混合物質に接合剤を添加する。
【００２３】
すると、前記添加された接合剤により白雲母２１、トルマリン２２及びラジウム２３は互いに堅い接合力を持つようになる。
【００２４】
ここで、前記トルマリン２２の場合、その混合比率は１０％未満としたが、望ましくは３〜５％程度で、必ずこれに限定するのではない。
【００２５】
また、前記ラジウム２３の場合、その混合比率は０．１％未満としたが、　望ましくは０．０１％程度で、必ずこれに限定するのではない。
【００２６】
そして、前記接合剤にて堅く接合された混合物質を４００℃の表面温度の圧着ローラで圧着すれば、図３のようにシート状の板状パッド２０が成形完了する。
【００２７】
一方、上記のように成形された板状パッド２０を所定の幅及び長さで切断しながら円筒形で作った後、その板状パッド２０をヘアードライヤー１００内の支持プレート１２に巻き付けられた電熱線１１を取り囲むように設置する。
【００２８】
以後、前記ヘアードライヤー１００の把持部４の前面に取り付けられた電源スイッチ１０を押圧する場合、電源供給部（図示せず）より常用電源（ＡＣ　２２０Ｖ）が電源コード９を通じて駆動モータ７と電熱線１１に通電される。
【００２９】
すると、前記駆動モータ７は通電の電源によって設定された回転速度で回転し、前記電熱線１１は設定された温度で発熱する。
【００３０】
このとき、前記駆動モータ７の回転軸７ａ上に押し込まれた送風ファン８は前記　駆動モータ７の駆動によって吸気カバー２の濾過網２ａを通じて外部の空気を吸い込むが、前記送風ファン８により吸い込んだ外部空気は本体１の吸い込み口１ａ及び支持プレート１２に螺旋形で取り付けられた電熱線１１を通過しながら加熱した後、本体１の吐出口１ｂに送風される。
【００３１】
そして、前記吐出口１ｂから吐出される加熱の空気は、更に本体１の前方に結合されたノズル３及び吐出グリル３ａを通じて外部に吐出されるが、使用者は前記加熱の空気で毛髪の水分を蒸発させたり所望の髪型でセッティングできる。
【００３２】
このとき、前記電熱線１１の加熱時、その電熱線１１は色んな鉱物質が混合された板状パッド２０で取り囲まれているが、前記板状パッド２０の混合鉱物質からなる電気絶縁体である白雲母２１は電熱線１１の加熱時にその熱が本体１に伝えられないようにし、前記板状パッド２０の混合鉱物質からなる超電気性のトルマリン２２は陰イオンと遠赤外線を発生させることになり、前記板状パッド２０の混合鉱物質からなるラジウム２３は外部刺激なしも電荷を放出しながらイオン化作用をすることになる。
【００３３】
したがって、前記ヘアードライヤー１００のノズル３を通じて温風や冷風が毛髪に吐出される時、前記板状パッド２０から発生される遠赤外線及び陰イオンが共に吐出され、前記の遠赤外線及び陰イオンにより、使用者はパーマや染色等で損傷された毛髪や頭皮を常に健康に維持できる。
【００３４】
一方、図示しないが、前記板状パッド２０を支持プレート１２の形態で作って電熱線１１が巻き付けられるようにすることもでき、このとき、前記電熱線１１は円筒形と支持プレート１２の形態を持つ板状パッド２０で完全に取り囲まれる構造になるが、前記ヘアードライヤー１００のノズル３を通じて温風や冷風が毛髪に吐出される時、前記電熱線１１を取り囲む板状パッド２０から発生される遠赤外線及び陰イオンの吐出量は一層上昇し、これにより、使用者はパーマや染色等で損傷された毛髪や頭皮を健康に維持できる。
【００３５】
一方、上記の説明では、前記板状パッド２０を円筒形と支持プレート１２の形態で同時にその適用がなされるようにしたが、前記支持プレート１２の形態だけで設置することができ、これはその設置環境によって可変的である。
【００３６】
すなわち、前記遠赤外線と陰イオンを発生するパッド２０の場合、電熱線１１を持つ製品（例えば、カール器、電子レンジ、トースト器、ヘアーカール等）に適用可能で、その構造は製品の特性によって変形可能である。
【００３７】
【発明の効果】
以上で説明したように、本発明はヘアードライヤーの遠赤外線と陰イオン発生用パッド構造及びその製造方法は、ヘアードライヤー内の電熱線を色んな鉱物質（例えば、白雲母、トルマリン、ラジウム等）が混合されてシート状で成形された板状パッドで取り囲むことで、電熱線の加熱時にその板状パッドが遠赤外線及び陰イオンを直接的に発生させると同時に、その遠赤外線及び陰イオンがヘアードライヤーの使用期間に無関係で持続されることで、パーマや染色等で損傷された毛髪や頭皮を健康に維持させ、さらに毛髪のセッティング状態を長時間維持させることで、毛髪に艶を出すようにする効果を提供する。
【００３８】
本発明は上述した特定の望ましい実施例に限定されず、請求範囲で請求する本発明の要旨から逸脱しない範囲内で、当該発明が属する技術分野における通常の知識を有した者であれば、誰でも多様に変形実施可能で、そのような変更は請求範囲記載の範囲内にある。
【図面の簡単な説明】
【図１】従来のヘアードライヤーの構造を示す分解斜視図である。
【図２】従来のヘアードライヤーの電熱線に鉱物質が塗布された遮熱パッドを設置した状態の断面図である。
【図３】本発明の一実施例の板状パッド構造図である。
【図４】本発明の一実施例の図３のＡ−Ａ線断面図である。
【図５】本発明の一実施例のヘアードライヤーの電熱線に遠赤外線及び陰イオンを発生する板状パッドを設置した状態の断面図である。
【符号の説明】
１…本体
１ａ…吸い込み口
１ｂ…吐出口
２…吸気カバー
２ａ…濾過網
３…ノズル
３ａ…吐出グリル
４…把持部
６…フランジ
７…駆動モータ
７ａ…回転軸
８…送風ファン
９…電源コード
１０…電源スイッチ
１１…電熱線
１２…支持プレート
２０…板状パッド
２１…白雲母
２２…トルマリン
２３…ラジウム
【図１】
2004033728.tif 000003
【図２】
2004033728.tif 000004
【図３】
2004033728.tif 000005
【図４】
2004033728.tif 000006
【図５】
2004033728.tif 000007